(57)【要約】【課題】従来の雪止め瓦は、平板瓦の瓦本体の頭側やや内方表面に設けた、この瓦本体の略全幅に亘る雪止め膨出部は、頭側から尻側に向って迫上り構成であって、この迫上り頂点は尻側を曲面形状とする構造であり、雪止めと、融解雪・雨水、ごみ等の流下を図る構造である。しかし、この発明は平板瓦の結束時に、立上高さと、裏面凹部との関係が充分でなく、重ね合せや結束ができず厄介である。【構成】本発明は、アンダーラップとオーバーラップを有する平板瓦の瓦本体の表面側に、雪止め用の膨出部を備えた雪止め平板瓦であって、この表面側に、頭側より尻側に入った位置に、瓦本体の表面側から立ち上がった尻側垂設板片と、尻側垂設板片から頭側裾部に向って緩やかな曲面形状を形成した膨出三方山部とでなる膨出部を、瓦本体の幅方向に複数個突設し、複数個の膨出部の間に、雨水や塵の流れを許す隙間部を形成した雪止め平板瓦である。【選択図】図１
2008214918.tif 000002
【特許請求の範囲】
【請求項１】
瓦本体の流れ方向の一方側に水返し突条を形成したアンダーラップを、他方側にオーバーラップを有する雪止め用の膨出部を備えた雪止め平板瓦であって、
この瓦本体の表面側には、この瓦本体の頭側より尻側に入った位置に、当該瓦本体の表面側から立ち上がった尻側垂設板片と、この尻側垂設板片から頭側裾部に向って緩やかな曲面形状を形成した膨出三方山部とでなる膨出部を形成し、かつこの膨出部を、前記瓦本体の幅方向に、複数個突設するとともに、この複数個の膨出部の間に、雨水及び／又は塵の流れを許す隙間部を形成し、
この膨出部の裏面には裏面凹部を形成し、結束時に、積重ねた下側の雪止め平板瓦の膨出部が前記裏面凹部に嵌入され、またこの膨出部の亀裂防止を図るために、この膨出部を、尻側垂設板片から頭側裾部に向って緩やかな曲面に下った膨出三方山部を形成した構造としたことを特徴とする構造の雪止め用の膨出部を備えた雪止め平板瓦。
【請求項２】
請求項１に記載の雪止め用の膨出部を備えた雪止め平板瓦において、
この膨出部を、三列配置とし、この内、左右の膨出部を、瓦本体に設けた膨出帯に隣接して設ける構造としたことを特徴とする雪止め用の膨出部を備えた雪止め平板瓦。
【請求項３】
請求項１に記載の雪止め用の膨出部を備えた雪止め平板瓦において、
この膨出部を、三列配置とし、この内、左右の膨出部を、瓦本体に設けた膨出帯に隣接して設け、かつ膨出部の幅（瓦本体の棟方向の幅）に対して、隙間部の幅を大きくする構造としたことを特徴とする雪止め用の膨出部を備えた雪止め平板瓦。
【請求項４】
請求項１に記載の雪止め用の膨出部を備えた雪止め平板瓦において、
この膨出部は、尻側垂設板片から頭側裾部に向って緩やかな曲面形状を形成した膨出三方山部とし、この尻側垂設板片と、この膨出三方山部とが、略均等な幅とする構造としたことを特徴とする雪止め用の膨出部を備えた雪止め平板瓦。
【請求項５】
請求項１に記載の雪止め用の膨出部を備えた雪止め平板瓦において、
この膨出部は、尻側垂設板片から頭側裾部に向って緩やかな曲面形状を形成した膨出三方山部とし、この膨出三方山部が、尻側垂設板片から頭側裾部に向って収斂された幅とする構造としたことを特徴とする雪止め用の膨出部を備えた雪止め平板瓦。
【請求項６】
請求項４、又は請求項５に記載の雪止め用の膨出部を備えた雪止め平板瓦において、
この膨出部は、尻側垂設板片から頭側裾部に向って緩やかな曲面形状を形成した膨出三方山部とし、この膨出部の天井を、平坦形状又は波形形状にする構造としたことを特徴とする雪止め用の膨出部を備えた雪止め平板瓦。
【発明の詳細な説明】
【技術分野】
【０００１】
本発明は、雪止め用の膨出部を備えた雪止め平板瓦であり、積雪をもろに受けた場合においても、積雪の荷重で、雪止めが折損することがない、平板瓦の瓦本体の略幅全体に雪止め用の膨出部を備えた平板瓦に関する。
【背景技術】
【０００２】
本発明は、昨今、普及の著しい平板瓦（Ｆ形瓦）の改良で、新規な需要を意図した雪止め平板瓦に関する。
【０００３】
周知の如く、和形瓦（Ｊ形瓦）に関しての雪止めは、種々の構造が提案されている。その一例を、参考として説明すると、実開昭５５−１２１８２１号の「雪止付かわら」で、和形瓦の瓦本体の谷部であって、この瓦本体の流れ方向の略中央に設けた半月状の雪止めと、この雪止めに貫設した分水部（窓）とでなる構造や、実開昭６３−１４０４１８号の「雪止め瓦」で、和形瓦の瓦本体の頭側やや内方の谷部に設けた、一文字形を二分割した対の雪止めと、この対の雪止めの間に形成された分水部とでなる構造とかが知られている。
【０００４】
前述した和形瓦の雪止め構造は、和形瓦に適するが、平板瓦に関しては、一考が要望される。例えば、この和形瓦の雪止め構造は、何れも、その尻側から頭側に向って、同じ肉厚構造であることから、この雪止めの形状を平板瓦に採用して、平板瓦の瓦本体の全体にある積雪をもろに受けた場合には、積雪の荷重で、雪止めが折損することがあり得る。従って、平板瓦における雪止めは、前述した、和形瓦の雪止めより、強度的に優れた雪止めが要望される。またこの肉厚構造では、平板瓦の全体重量が重くなり、その結果、屋根の荷重が重くなり易く、例えば、耐震、耐風時の強度不足を惹起する虞がある。
【０００５】
続いて、平板瓦の雪止めに関する先行文献を説明すると、次のような雪止めの発明が挙げられる。以下、文献（１）、文献（２）として説明する。
【０００６】
文献（１）は、特開平９−６０２０３号の「平瓦」で、この平瓦（平板瓦）の瓦本体部の頭側やや内方表面に、この瓦本体部の略全幅に亘る雪止め膨出部を設け、この雪止め膨出部には、頭側から尻側に向って迫上り構成として迫上り頂点を設け、さらにこの迫上り頂点は、尻側を円弧形状とする構造であり、融解雪又は雨水、ごみ等の流下と、雪止めを図る。また図６、図８に示すように、オーバーラップの高さに略沿った高さを備えた雪止めの構造であり、平板瓦の積層時において、略並列した状態での積層を図り、結束の容易化と、結束時のズレ防止及び／又は嵩の縮小化等を図る。
【０００７】
また文献（２）は、特開２００１−９０２５９の「平板瓦」で、平板瓦の瓦本体部に、オーバーラップの高さに略沿った高さを備えた雪止めを、頭側に設けた構造であり、平板瓦の積層時において、略並列した状態での積層を図り、結束の容易化と、結束時のズレ防止及び／又は嵩の縮小化等を図る。
【０００８】
しかしながら、この文献（１）、文献（２）の発明（文献発明とする）は、平板瓦の積層時において、略並列した状態での積層を介して、例えば、結束の容易化と、結束時のズレ防止及び／又は嵩の縮小化等を図る構造である。従って、雪止めとして役立つための高さ、雪を受止める端面積等を備えておらず、本来の機能を発揮するには、少なからず、問題がある。
【０００９】
そして、この文献発明は、従来の雪止め構造と同じであり、その尻側から頭側に向って、同じ肉厚構造であるので、例えば、瓦本体の全体にある積雪をもろに受けた場合には、積雪の荷重及び／又は衝撃等で、雪止めが折損することがありえる。またこの文献（１）の構造は、図５に示すように、重ね合せは可能な構造であるが、立上高さと、裏面凹部との関係が充分でなく（他の瓦本体の雪止めが入る裏面凹部でなく）、平板瓦の結束時に、同じ方向において、重ね合せるようにして結束できず、厄介であり、また嵩張る等の改良点を抱えている。そして、また文献（２）の構造では、雪止めが、瓦本体の膨出帯より突出する構造である。文献（１）と同じ改良点を抱えている。
【００１０】
【特許文献１】特開平９−６０２０３号
【特許文献２】特開２００１−９０２５９
【発明の開示】
【発明が解決しようとする課題】
【００１１】
前述した如く、文献発明の雪止めは、その尻側から頭側に向って、同じ肉厚構造であることから、例えば、瓦本体の全体にある積雪をもろに受けた場合には、積雪の荷重及び／又は衝撃等で、雪止めが折損（破損）することがあり、その改良が望まれる。また前記文献発明では、雪止めの高さ、雪を受止める尻側端面の面積が不足しており、高さ及び／又は尻側端面の面積を確保した雪止めが必要であり、その改良が考えられる。
【００１２】
さらに、前述した雪止めの高さを確保するためには、粘土の量と、この高い位置まで、粘土をスムーズに移動する構造が必要であるが、この文献発明の雪止めの構造では、必ずしも、充分とは考えられず、改良の余地がある。
【００１３】
以上のような改良点を解消し、平板瓦に採用可能な雪止め構造を提供するために、本発明の意図は、下記の構造にある。
「１」  尻側端面の面積を確保した雪止め構造とし、雪止めとしての役割を充実し、かつ平板瓦に最適な強度（荷重を分散可能なように膨出部を複数個とした構造等）、形状（尻側垂設板片から頭側裾部に向って緩やかな曲面形状に形成した膨出部の構造）、高さ等を備えた雪止めの構造を提供する。
「２」  さらに雪止めとしての補助の役割、例えば、雨水、塵等の分水部（複数個の膨出部の間に形成した隙間部を複数の分水部とする）として役立ち、また破損の少ない構造を提案する。
「３」  また雪止めを膨出部で構成し、裏側を凹部（裏面凹部）とすることで、結束時における積重ねを可能とし、結束の容易化と、結束時のズレ防止及び／又は嵩の縮小化、軽量化等を図る。また通常の瓦製造と、技術を駆使することで、何ら、その製造と、結束、搬送等の取扱に困らない構造の雪止め平板瓦を提供する。
「４」  さらに雪止めを膨出部で構成し、裏面凹部を形成することで、例えば、粘土の不足を解消しつつ、平板瓦としての強度の確保を図るために、粘土の有効利用と、この粘土のスムーズな移動が図れる平板瓦の構造を提案する。
【課題を解決するための手段】
【００１４】
請求項１の発明は、前述した「１」〜「４」の特徴を達成することを意図する。
【００１５】
請求項１は、瓦本体の流れ方向の一方側に水返し突条を形成したアンダーラップを、他方側にオーバーラップを有する雪止め用の膨出部を備えた雪止め平板瓦であって、
この瓦本体の表面側には、この瓦本体の頭側より尻側に入った位置に、当該瓦本体の表面側から立ち上がった尻側垂設板片と、この尻側垂設板片から頭側裾部に向って緩やかな曲面形状を形成した膨出三方山部とでなる膨出部を形成し、かつこの膨出部を、前記瓦本体の幅方向に、複数個突設するとともに、この複数個の膨出部の間に、雨水及び／又は塵の流れを許す隙間部を形成し、
この膨出部の裏面には裏面凹部を形成し、結束時に、積重ねた下側の雪止め平板瓦の膨出部が前記裏面凹部に嵌入され、またこの膨出部の亀裂防止を図るために、この膨出部を、尻側垂設板片から頭側裾部に向って緩やかな曲面に下った膨出三方山部を形成した構造としたことを特徴とする雪止め用の膨出部を備えた雪止め平板瓦である。
【００１６】
請求項２〜請求項５の発明は、請求項１の目的を達成することと、この目的を達成するのに最適な雪止めの各構造を提案することを意図する。
【００１７】
請求項２は、請求項１に記載の雪止め用の膨出部を備えた雪止め平板瓦において、
この膨出部を、三列配置とし、この内、左右の膨出部を、瓦本体に設けた膨出帯に隣接して設ける構造としたことを特徴とする雪止め用の膨出部を備えた雪止め平板瓦である。
【００１８】
請求項３は、請求項１に記載の雪止め用の膨出部を備えた雪止め平板瓦において、
この膨出部を、三列配置とし、この内、左右の膨出部を、瓦本体に設けた膨出帯に隣接して設け、かつ膨出部の幅（瓦本体の棟方向の幅）に対して、隙間部の幅を大きくする構造としたことを特徴とする雪止め用の膨出部を備えた雪止め平板瓦である。
【００１９】
請求項４は、請求項１に記載の雪止め用の膨出部を備えた雪止め平板瓦において、
この膨出部は、尻側垂設板片から頭側裾部に向って緩やかな曲面形状を形成した膨出三方山部とし、この尻側垂設板片と、この膨出三方山部とが、略均等な幅とする構造としたことを特徴とする雪止め用の膨出部を備えた雪止め平板瓦である。
【００２０】
請求項５は、請求項１に記載の雪止め用の膨出部を備えた雪止め平板瓦において、
この膨出部は、尻側垂設板片から頭側裾部に向って緩やかな曲面形状を形成した膨出三方山部とし、この膨出三方山部が、尻側垂設板片から頭側裾部に向って収斂された幅とする構造としたことを特徴とする雪止め用の膨出部を備えた雪止め平板瓦である。
【００２１】
請求項６の発明は、請求項４、又は請求項５の目的を達成することと、この目的を達成するのに最適な雪止めの構造を提案することを意図する。
【００２２】
請求項６は、請求項４、又は請求項５に記載の雪止め用の膨出部を備えた雪止め平板瓦において、
この膨出部は、尻側垂設板片から頭側裾部に向って緩やかな曲面形状を形成した膨出三方山部とし、この膨出部の天井を、平坦形状又は波形形状にする構造としたことを特徴とする雪止め用の膨出部を備えた雪止め平板瓦である。
【発明の効果】
【００２３】
請求項１の発明は、瓦本体の流れ方向の一方側に水返し突条を形成したアンダーラップを、他方側にオーバーラップを有する雪止め用の膨出部を備えた雪止め平板瓦であって、
瓦本体の表面側には、瓦本体の頭側より尻側に入った位置に、瓦本体の表面側から立ち上がった尻側垂設板片と、尻側垂設板片から頭側裾部に向って緩やかな曲面形状を形成した膨出三方山部とでなる膨出部を形成し、かつ膨出部を、瓦本体の幅方向に、複数個突設するとともに、複数個の膨出部の間に、雨水及び／又は塵の流れを許す隙間部を形成し、
膨出部の裏面には裏面凹部を形成し、結束時に、積重ねた下側の雪止め平板瓦の膨出部が裏面凹部に嵌入され、また膨出部の亀裂防止を図るために、膨出部を、尻側垂設板片から頭側裾部に向って緩やかな曲面に下った膨出三方山部を形成した構造とした雪止め用の膨出部を備えた雪止め平板瓦である。
【００２４】
従って、請求項１は、下記の効果がある。
「１」  尻側端面の面積を確保した雪止め構造とし、雪止めとしての役割を充実し、かつ平板瓦に最適な強度（荷重を分散可能なように膨出部を複数個とした構造等）、形状（尻側垂設板片から頭側裾部に向って緩やかな曲面形状に形成した膨出部の構造）、高さ等を備えた雪止めの構造を提供できる。
「２」  さらに雪止めとしての補助の役割、例えば、雨水、塵等の分水部（複数個の膨出部の間に形成した隙間部を複数の分水部とする）として役立ち、また破損の少ない構造を提案できる。
「３」  また雪止めを膨出部で構成し、裏側を凹部（裏面凹部）とすることで、結束時における積重ねを可能とし、結束の容易化と、結束時のズレ防止及び／又は嵩の縮小化、軽量化等を図る。また通常の瓦製造と、技術を駆使することで、何ら、その製造と、結束、搬送等の取扱に困らない構造の雪止め平板瓦を提供できる。
「４」  さらに雪止めを膨出部で構成し、裏面凹部を形成することで、例えば、粘土の不足を解消しつつ、平板瓦としての強度の確保を図るために、粘土の有効利用と、この粘土のスムーズな移動が図れる平板瓦の構造を提案できる。
【００２５】
請求項２の発明は、請求項１に記載の雪止め用の膨出部を備えた雪止め平板瓦において、
膨出部を、三列配置とし、この内、左右の膨出部を、瓦本体に設けた膨出帯に隣接して設ける構造とした雪止め用の膨出部を備えた雪止め平板瓦である。
【００２６】
請求項３の発明は、請求項１に記載の雪止め用の膨出部を備えた雪止め平板瓦において、
膨出部を、三列配置とし、この内、左右の膨出部を、瓦本体に設けた膨出帯に隣接して設け、かつ膨出部の幅（瓦本体の棟方向の幅）に対して、隙間部の幅を大きくする構造とした雪止め用の膨出部を備えた雪止め平板瓦である。
【００２７】
請求項４の発明は、請求項１に記載の雪止め用の膨出部を備えた雪止め平板瓦において、
膨出部は、尻側垂設板片から頭側裾部に向って緩やかな曲面形状を形成した膨出三方山部とし、尻側垂設板片と、膨出三方山部とが、略均等な幅とする構造とした雪止め用の膨出部を備えた雪止め平板瓦である。
【００２８】
請求項５の発明は、請求項１に記載の雪止め用の膨出部を備えた雪止め平板瓦において、
膨出部は、尻側垂設板片から頭側裾部に向って緩やかな曲面形状を形成した膨出三方山部とし、膨出三方山部が、尻側垂設板片から頭側裾部に向って収斂された幅とする構造とした雪止め用の膨出部を備えた雪止め平板瓦である。
【００２９】
従って、請求項２〜請求項５は、請求項１の目的を達成できることと、この目的を達成するのに最適な雪止めの各構造を提案できること等の特徴を有する。
【００３０】
請求項６の発明は、請求項４、又は請求項５に記載の雪止め用の膨出部を備えた雪止め平板瓦において、
膨出部は、尻側垂設板片から頭側裾部に向って緩やかな曲面形状を形成した膨出三方山部とし、膨出部の天井を、平坦形状又は波形形状にする構造とした雪止め用の膨出部を備えた雪止め平板瓦である。
【００３１】
従って、請求項６は、請求項４、又は請求項５の目的を達成できることと、この目的を達成するのに最適な雪止めの構造を提案できること等の特徴を有する。
【発明を実施するための最良の形態】
【００３２】
本発明の好ましい一例を、図面を参照として説明する。最初に図面の説明をすると、図１は第一実施例の平面図、図２は第一実施例の裏面図、図３は第一実施例の頭側から見た要部の斜視図、図４は第一実施例の頭側から見た正面図、図５は第一実施例の平面斜視図、図６は第一実施例の葺設状態を示した模式図、図７は第一実施例の葺設状態を示した模式斜視図、図８−１は結束状態の一例を示す要部の拡大断面図、図８−２は結束状態の別の一例を示す要部の拡大断面図である。
【００３３】
第一実施例を示した図１〜図８−１において、千鳥葺き用（筋葺き用も同じ）の雪止め平板瓦１（平板瓦１とする）は、瓦本体１００と、この瓦本体１００の流れ方向Ａの一方側１００ａには、一段下がったアンダーラップ１０１と、またその他方側１００ｂには、瓦本体１００の表面側１００ｃより膨出し、かつその裏面側１００ｄより迫上がり形成したオーバーラップ１０２とを備えている。そして、図中１００ｅは瓦本体１００の頭側、１００ｆは瓦本体１００の尻側を示している。尚、このアンダーラップ１０１及び／又はオーバーラップ１０２の構造は一例であり、限定されない（以下、各例も同じ）。
【００３４】
そして、この瓦本体１００を構成するアンダーラップ１０１には、このアンダーラップ１０１を囲繞する（頭側１００ｅはなし）水返し突条１０３を設ける。また瓦本体１００の表面側１００ｃの尻側１００ｆには、水返し突条１０４を有している。そして、この水返し突条１０４は、雨水の逆上を阻止する堰としても有効である。また図中１０５は瓦本体１００の谷部１００ｇとアンダーラップ１０１との間に形成した膨出帯を示している。そして、この膨出帯１０５は水返し突条として役立つ構造である。尚、２は瓦本体１００の尻側１００ｆに設けた釘孔を示す。
【００３５】
図中３は雪止め用の膨出部（雪止め）で、この膨出部３は、図３に示した如く、瓦本体１００の頭側１００ｅより尻側１００ｆに入った位置に膨出形成するが、この膨出部３は、当該瓦本体１００の表面側１００ｃから立ち上がった尻側垂設板片３００（尻側端面の面積を確保した雪止め構造となる尻側垂設板片３００）と、この尻側垂設板片３００から頭側裾部に向って緩やかな曲面形状を形成した膨出三方山部３０１とで形成する。そして、この膨出部３は、前記瓦本体１００の幅方向（葺設時の瓦本体の棟方向「矢印Ｂ」で示す）に、複数個突設するとともに、この複数個の膨出部３の間に、雨水及び／又は塵の流れを許す隙間部５を形成する。図においてこの膨出部３は３つとしたが、本発明の効果を奏するには２個以上で複数個であればよい。
【００３６】
そして、本発明の膨出部３の裏面側１００ｄに形成した裏面凹部６は、尻側垂設板片６００から頭側裾部に向って緩やかな曲面形状を形成した膨出三方山部６０１とで形成する構造であり、この膨出部３の亀裂防止と、成形の容易化（粘土の流れの容易化）を図る。またこの裏面凹部６には、結束時に、積重ねた下側の雪止め平板瓦１−１の膨出部３−１が嵌入されることで、結束の容易化と、結束時のズレ防止及び／又は嵩の縮小化等を図る。また通常の瓦製造と、技術を駆使することで、何ら、その製造と、結束、搬送等の取扱に困らない構造の雪止め平板瓦１等を提供できる。さらに、尻側垂設板片３００で受けた雪の荷重を、頭側１００ｅに延設した膨出三方山部３０１を介して、分散できる構成であり、耐久性の向上と、確実な雪止めが図れること、また融雪した雪をなだらかに頭側１００ｅに流下できること等の実益がある。
【００３７】
この例の如く、膨出部３は、前述した本発明の特徴を発揮するには、三列方式が理想であるが、二列方式、四列方式でも、同じような効果が期待できる。
【００３８】
尚、この説明及び図示した平板瓦１等では、表面側１００ｃ、裏面側１００ｄの構造、防災用（耐震・耐風用）の鍵片等の特殊な構造物を備えない構造であり、図６、７に示した千鳥葺きの葺設を始めとして、筋葺きの葺設も可能である。
【００３９】
そして、図８−２に示した膨出部３は、膨出三方山部３０１の表面に凹凸７を形成した別の一例であり、この凹凸７を利用して、雪止めの効率化と、この膨出三方山部３０１の強度の向上とを図ることを意図する。また膨出部３は、膨出三方山部３０１の尻側１００ｆから頭側１００ｅに向かって収斂する構造とすることも可能であり、降雪、雨水等の流れの効率化と、この膨出三方山部３０１に対する荷重の軽減化を図ることを意図する。
【００４０】
尚、図中１００ｈは、瓦本体１００の頭側１００ｅに形成した頭垂れである。
【００４１】
また、図４に示したように、膨出部３の山の裾をテーパー形状に広げて形成することも可能である。この膨出部３のテーパー形状により、より結束時の積重ねが安定し、容易になる。
【図面の簡単な説明】
【００４２】
【図１】図１は、第一実施例の平面図
【図２】図２は、第一実施例の裏面図
【図３】図３は、第一実施例の頭側から見た要部の斜視図
【図４】図４は、第一実施例の頭側から見た正面図
【図５】図５は、第一実施例の平面斜視図
【図６】図６は、第一実施例の葺設状態を示した模式図
【図７】図７は、第一実施例の葺設状態を示した模式斜視図
【図８−１】図８−１は、結束状態の一例を示す要部の拡大断面図
【図８−２】図８−２は、結束状態の別の一例を示す要部の拡大断面図
【符号の説明】
【００４３】
１                    平板瓦
１−１                平板瓦
１００                瓦本体
１００ａ              一方側
１００ｂ              他方側
１００ｃ              表面側
１００ｄ              裏面側
１００ｅ              頭側
１００ｆ              尻側
１００ｇ              谷部
１００ｈ              頭垂
１０１                アンダーラップ
１０２                オーバーラップ
１０３                水返し突条
１０４                水返し突条
１０５                膨出帯
２                    釘孔
３                    膨出部
３−１                膨出部
３００                尻側垂設板片
３０１                膨出三方山部
５                    隙間部
６                    裏面凹部
６００                尻側垂設板片
６０１                膨出三方山部
７                    凹凸
Ａ                    流れ方向
Ｂ                    棟方向
【図１】
2008214918.tif 000003
【図２】
2008214918.tif 000004
【図３】
2008214918.tif 000005
【図４】
2008214918.tif 000006
【図５】
2008214918.tif 000007
【図６】
2008214918.tif 000008
【図７】
2008214918.tif 000009
【図８−１】
2008214918.tif 000010
【図８−２】
2008214918.tif 000011